(57)【要約】  カメラモジュールおよびモバイル端末が開示される。カメラモジュールは第１のカメラモジュール、第２のカメラモジュールおよびブラケットを含み、第１のカメラモジュールは第２のカメラモジュールと隣り合わせで配置され、第２のカメラモジュールは接地されるようにブラケットに接続され、コネクタが第１のカメラモジュールと第２のカメラモジュールとの間に設けられ、第１のカメラモジュールは、ブラケット経由で接地されるようにコネクタを介して第２のカメラモジュールに電気的に接続される。第１のカメラモジュールと第２のカメラモジュールとの間にコネクタが設けられることにより、第１のカメラモジュールは第２のカメラモジュールに電気的に接続され、第２のカメラモジュールの側でブラケット経由で共通接地を実現する。
2020509628.tif 000002
【特許請求の範囲】
【請求項１】
第１のカメラモジュールと、
前記第１のカメラモジュールと隣り合わせで配置された第２のカメラモジュールと、
前記第２のカメラモジュールが接地されることを可能にするために前記第２のカメラモジュールに接続されるブラケットと、
前記第１のカメラモジュールと前記第２のカメラモジュールとの間に設けられたコネクタと、
を備えるカメラモジュールであって、
前記第１のカメラモジュールが、前記ブラケット経由で接地されるように前記コネクタを介して前記第２のカメラモジュールに電気的に接続される、カメラモジュール。
【請求項２】
前記コネクタが導電性金属シートである、請求項１に記載のカメラモジュール。
【請求項３】
前記コネクタが「Ｌ字」形状であり、把持部と前記把持部から曲げられ延びるキャリヤ部とを備え、前記第１のカメラモジュールが、前記キャリヤ部によって熱放散を行うとともに、前記把持部を介して前記第２のカメラモジュールに電気的に接続される、請求項１または２に記載のカメラモジュール。
【請求項４】
前記コネクタが前記第１のカメラモジュールから前記第２のカメラモジュールに向かう方向に延びる突起を備え、前記第２のカメラモジュールには前記突起に対応する溝が設けられ、前記突起が、前記第１のカメラモジュールと前記第２のカメラモジュールの電気接続部を形成するために前記溝にはめ込まれる、請求項１から３のいずれか一項に記載のカメラモジュール。
【請求項５】
前記コネクタが、前記第１のカメラモジュールのハウジングと一体に形成される、請求項１から４のいずれか一項に記載のカメラモジュール。
【請求項６】
前記カメラモジュールが第１のカメラと前記第１のカメラを支持するためのベースとを備え、前記ベースが前記第２のカメラモジュールに当接するように構成され、前記コネクタが前記ベース上に配置されかつ前記第１のカメラと前記第２のカメラモジュールとの間に挿置される、請求項１から５のいずれか一項に記載のカメラモジュール。
【請求項７】
前記第２のカメラモジュールが第２のカメラ、光ガイドおよびフレームを備え、前記フレームが前記第２のカメラおよび前記光ガイドを収容しかつ固定し、前記光ガイドが前記第１のカメラモジュールと前記第２のカメラとの間に配置され、前記コネクタが前記第１のカメラモジュールと前記光ガイドとの間の挿置される、請求項１から６のいずれか一項に記載のカメラモジュール。
【請求項８】
前記コネクタが前記第２のカメラモジュールから前記第１のカメラモジュールに向かう方向に延びる突起を備え、前記第１のカメラモジュールには前記突起に対応する溝が設けられ、前記突起が、前記第１のカメラモジュールと前記第２のカメラモジュールの電気接続部を形成するために前記溝にはめ込まれる、請求項１から７のいずれか一項に記載のカメラモジュール。
【請求項９】
前記突起は、前記光ガイドが位置するフレームの側面から前記第１のカメラモジュールに向かう方向に延びることにより形状を定められ、かつ前記フレームと一体に形成される、請求項８に記載のカメラモジュール。
【請求項１０】
前記第２のカメラには、前記第１のカメラモジュールに向かう方向に前記第２のカメラの光出射面が配置され、前記光ガイドには、前記第１のカメラモジュールの光出射面と平行に前記光ガイドの光出射面が配置される、請求項７に記載のカメラモジュール。
【請求項１１】
前記第２のカメラが前記第１のカメラより大きい長さを有する、請求項７に記載のカメラモジュール。
【請求項１２】
前記カメラモジュールが第１の締結具および第２の締結具をさらに備え、
前記第１の締結具および前記第２の締結具がそれぞれ、前記コネクタをしっかりと固着するために前記コネクタの下部の両端に配置される、請求項１から１１のいずれか一項に記載のカメラモジュール。
【請求項１３】
ケースと前記ケース内に配置されたカメラモジュールとを備えるモバイル端末であって、前記カメラモジュールが請求項１に記載のカメラモジュールである、モバイル端末。
【請求項１４】
第１のカメラモジュールと、
前記第１のカメラモジュールと隣り合わせで配置された第２のカメラモジュールと、
を備えるカメラモジュールであって、
前記第２のカメラモジュールが第２のカメラ、光ガイドおよびフレームを備え、前記フレームが前記第２のカメラおよび前記光ガイドを収容しかつ固定し、前記光ガイドが前記第１のカメラモジュールと前記第２のカメラモジュールとの間に配置される、カメラモジュール。
【請求項１５】
前記第２のカメラモジュールが第２のカメラを備え、前記第２のカメラが前記第１のカメラより大きい長さを有し、前記第２のカメラには、前記第１のカメラモジュールに向かう方向に前記第２のカメラの光出射面が配置され、前記光ガイドには、前記第１のカメラモジュールの光出射面と平行に前記光ガイドの光出射面が配置される、請求項１４に記載のカメラモジュール。
【発明の詳細な説明】
【技術分野】
【０００１】
関連出願の相互参照
本出願は、あらゆる目的のためにその全内容が参照により本明細書に組み込まれる、「ＣＡＭＥＲＡ  ＭＯＤＵＬＥ  ＡＮＤ  ＭＯＢＩＬＥ  ＴＥＲＭＩＮＡＬ」という名称の２０１７年１月１１日に出願された中国特許出願第２０１７１００２１１３３．０号明細書の優先権利益を主張するものである。
【０００２】
本開示は、モバイル端末（ｍｏｂｉｌｅ  ｔｅｒｍｉｎａｌ）技術の分野に関し、詳細にはカメラモジュール（ｃａｍｅｒａ  ｍｏｄｕｌｅ）およびモバイル端末に関する。
【背景技術】
【０００３】
モバイル端末技術の急速な発展に伴い、モバイル端末は広く使用され、日常生活の中で不可欠な機器になっている。モバイル端末は、レッスンを受ける、娯楽を得る、写真を撮る、などのために使用することができる。
【０００４】
現在使用されているモバイル端末は、第１のカメラモジュールおよび第２のカメラモジュールを含むデュアルカメラモジュールを有することがある。操作中に第１とカメラモジュールによって生成された静電気を放電するには、第１のカメラモジュール側および第２のカメラモジュール側にそれぞれブラケットを設けて静電気を適時にかつ効果的に放電するように接地を実現する必要がある。
【０００５】
しかしながら、上記の設計は、複雑なプロセス、および２つの接地ブラケット（ｇｒｏｕｎｄ  ｂｒａｃｋｅｔｓ）を設ける必要性につながり、それによってコストを増大させ得る。
【発明の概要】
【発明が解決しようとする課題】
【０００６】
本開示の諸実施形態ではカメラモジュールおよびモバイル端末を提供する。第１のカメラモジュールと第２のカメラモジュールとの間にコネクタが設けられることにより、第１のカメラモジュールは第２のカメラモジュールに電気的に接続され、第２のカメラモジュール側でブラケット経由で共通接地を実現する。したがって、カメラモジュールの全体的強度、安定性、機能的再利用性を高めるとともに、モバイル端末のカメラモジュールの総合効率を向上させながら、プロセスを簡略化し、コストを節減し、生成された静電気をタイミング良く効果的に放電することが可能である。
【０００７】
一態様によれば、カメラモジュールが提供される。カメラモジュールは第１のカメラモジュール、第２のカメラモジュール、ブラケットおよびコネクタを含む。第２のカメラモジュールは第１のカメラモジュールと隣り合わせで配置される。ブラケットは、第２のカメラモジュールが接地されることを可能にするために第２のカメラモジュールに接続される。コネクタは、第１のカメラモジュールと第２のカメラモジュールとの間に設けられる。第１のカメラモジュールは、ブラケット経由で接地されるようにコネクタを介して第２のカメラモジュールに電気的に接続される。
【０００８】
別の態様によれば、モバイル端末が提供される。モバイル端末はケースとケース内に配置されたカメラモジュールとを含み、カメラモジュールは上述したカメラモジュールである。
【０００９】
別の態様によれば、カメラモジュールが提供される。カメラモジュールは第１のカメラモジュールおよび第２のカメラモジュールを含む。第２のカメラモジュールは第１のカメラモジュールと隣り合わせで配置される。第２のカメラモジュールは第２のカメラ、光ガイドおよびフレームを含む。第２のカメラおよび光ガイドはフレームによって収容されかつ固定される。光ガイドは、第１のカメラモジュールと第２のカメラとの間に配置される。
【００１０】
この技術の他の特徴は、下記の詳細な説明に含まれる情報を検討することから明らかになるであろう。
【００１１】
より良い例示のために、本明細書で使用される添付図面の簡単な説明が以下に与えられる。下記に挙げる図面は、本開示の範囲に限定されると解釈されることなく例にすぎないことが理解されるべきである。
【図面の簡単な説明】
【００１２】
【図１】本開示の一実施形態によるモバイル端末の構造概略図である。
【図２】本開示の一実施形態によるモバイル端末の分解図である。
【図３】本開示の一実施形態によるカメラモジュールの寸法構造図である。
【図４】本開示の一実施形態によるカメラモジュールの断面図である。
【図５】本開示の一実施形態によるコネクタの構造を示すカメラモジュールの断面図である。
【図６】本開示の一実施形態による別のコネクタの構造を示すカメラモジュールの断面図である。
【図７】本開示の一実施形態による別のコネクタの構造を示すカメラモジュールの断面図である。
【発明を実施するための形態】
【００１３】
図面をご参照いただくと、同様の参照符号は同様の要素を意味し、本開示の原理は適切な環境での実施によって例示される。以下の記述は、例示されるように本開示の特定の実施形態に基づいており、本明細書では詳述されない本開示の他の特定の実施形態を限定すると解釈されるべきではない。
【００１４】
本明細書で用いられる「実施形態（ｅｍｂｏｄｉｍｅｎｔ）」という用語は、一例または一実例として用いられるためのものである。加えて、本明細書および添付の特許請求の範囲で用いられる冠詞「ａ／ａｎ」は、一般に、特に指定がない限りまたは文脈から明瞭に単数形を対象としていない限り「１つまたは複数（ｏｎｅ  ｏｒ  ｍｏｒｅ）」を意味すると解釈され得る。
【００１５】
本開示の説明では、「中心（ｃｅｎｔｅｒ）」、「長手方向の（ｌｏｎｇｉｔｕｄｉｎａｌ）」、「横方向の（ｌａｔｅｒａｌ）」、「長さ（ｌｅｎｇｔｈ）」、「幅（ｗｉｄｔｈ）」、「厚さ（ｔｈｉｃｋｎｅｓｓ）」、「上方の（ｕｐｐｅｒ）」、「下方の（ｌｏｗｅｒ）」、「前（ｆｒｏｎｔ）」、「後（ｒｅａｒ）」、「左（ｌｅｆｔ）」、「右（ｒｉｇｈｔ）」、「垂直の（ｖｅｒｔｉｃａｌ）」、「水平の（ｈｏｒｉｚｏｎｔａｌ）」、「上部（ｔｏｐ）」、「下部（ｂｏｔｔｏｍ）」、「内部の（ｉｎｔｅｒｎａｌ）」、「外部の（ｅｘｔｅｒｎａｌ）」、「右回りの（ｃｌｏｃｋｗｉｓｅ）」、「左回りの（ｃｏｕｎｔｅｒｃｌｏｃｋｗｉｓｅ）」などを含む用語によって示される方位関係または位置関係は、図面に基づいており、参照される装置または要素が固有の向きを有していなければならないことを指摘または含意するのではなく、単に説明および説明の簡略化を容易にするために、特定の向きに構築され操作されることが理解されるべきである。したがって、方位関係または位置関係を、本開示を制限すると解釈することはできない。
【００１６】
本開示の説明では、特に指定および定義がない限り、「設置する（ｉｎｓｔａｌｌ）」、「接続する（ｃｏｎｎｅｃｔ）」および「接続（ｃｏｎｎｅｃｔｉｏｎ）」という用語は広義に理解されるべきである。例えば、固定接続される、可動接続されるまたは一体に接続される、機械的に接続される、電気的に接続されるまたは互いに通信する、直接接続されるまたは中間媒体によって間接的に接続される、２つの要素の内部接続または２つの要素の相互作用関係、などがある。本開示における上記の用語の具体的な意味は、当業者なら具体的な状況に照らして理解することができる。
【００１７】
加えて、特に明示的に記載および定義がない限り、第２の特徴「の上（ａｂｏｖｅ）」または「の下（ｂｅｌｏｗ）」の第１の特徴という記述は、第１の特徴と第２の特徴との直接接触、ならびに第１の特徴と第２の特徴との間に他の特徴を介した２つの特徴の間接接触を含む。さらに、第２の特徴「の上（ａｂｏｖｅ）」、「の上（ｏｖｅｒ）」および「の上部（ｏｎ  ｔｏｐ  ｏｆ）」の第１の特徴という記述は、第１の特徴が第２の特徴のすぐ上または斜め上にあるという状況、あるいは単に第１の特徴が第２の特徴より高いことを示すこと、を含む。第２の特徴「の下（ｕｎｄｅｒ）」および「の下（ｂｅｌｏｗ）」の第１の特徴という記述は、第１の特徴が第２の特徴のすぐ下または斜め下にあるという状況、あるいは単純に第１の特徴が第２の特徴より低いことを示すこと、を含む。
【００１８】
以下の開示は、本開示の様々な構造を実施するための複数の異なる実施形態または例を提供する。本開示の開示を簡略化するために、具体例の構成要素および配置構成について以下に説明する。これらの構成要素および配置構成は単なる例示的なものであり、本開示を制限するためのものではない。加えて、本開示は、簡単かつ明瞭にするために参照番号および／または異なる例における参照番号を繰り返すことがあるが、このことは、本質的に、論じられる様々な実施形態および／または配置構成の間の関係を示すものではない。加えて、本開示は、様々な具体的プロセスおよび材料の例を提供するが、当業者なら他のプロセスおよび／または他の材料の使用を理解するであろう。
【００１９】
図１は、本開示の一実施形態によるモバイル端末の構造概略図である。説明の便宜上、本開示の諸実施形態に関連する部分だけが示されている。
【００２０】
モバイル端末は、ケース、プリント回路板３００およびカメラモジュール２０を含む。カメラモジュール２０およびプリント回路板３００はすべてケース内に配置される。カメラモジュール２０およびプリント回路板は電気的に接続される。
【００２１】
図２を参照すると、いくつかの実施形態において、ケースは前面カバー１１および背面カバー１２を含む。空間が、前面カバー１１および背面カバー１２によって囲まれる。カメラモジュール２０およびプリント回路板３００はこの空間内に配置される。カメラモジュール２０は背面カバー１２上に装着される。
【００２２】
この実施形態のモバイル端末は電池５００および表示画面６００をさらに含む。
【００２３】
電池５００は背面カバー１２内に取り付けられ、プリント回路板３００に電力を供給するためにプリント回路板３００に電気的に接続される。
【００２４】
表示画面６００は背面カバー１２と前面カバー１１との間に配置される。プリント回路板３００は背面カバー１２上に取り付けられる。背面カバー１２は、本体１２１と本体の周縁に設けられた側壁１２２とを含む。側壁１２２は前面カバー１１に向かって延びる。
【００２５】
プリント回路板３００には、前面カメラモジュール３０１および背面カメラモジュール（すなわち、カメラモジュール２０）が設けられる。前面カメラモジュール３０１の位置は前面カメラ孔６２に対応する。プリント回路板３００は制御回路３１をさらに含み、制御回路はメインボードとすることができる。制御回路３１は、モバイル端末の全体的な監視を実現するために、レシーバ６０、前面カメラモジュール３０１、カメラモジュール２０および指紋識別モジュール７４に電気的に接続され得る。
【００２６】
表示画面６００は前面カバー１１の下に取り付けられる。表示画面６００は非表示領域６０１および表示領域６０２を含む。上部非表示領域６０１には、レシーバが音を発するための開口６１と前面カメラ孔６２とが設けられる。
【００２７】
いくつかの実施形態では、前面カメラ孔６２は省略または除去され得る。
【００２８】
前面カバー１１は非表示領域７０１および表示領域７０２を含む。前面カバー１１は、ガラス、セラミック、サファイヤなどの材料で製作され得る。前面カバー１１の表示領域７０２は、画像を表示するためにまたはユーザがタッチ操作などを行うために使用することができる。前面カバー１１の非表示領域７０１は上部非表示領域および下部非表示領域を含む。上部の非表示領域は、レシーバが音を発するための開口７１に対応する。指紋識別モジュール７４は、下部の非表示領域７０１上に設けられる。指紋識別モジュール７４は、ユーザの指紋情報を取得するために使用することができる。レシーバ用開口７１および前面カメラ孔６２以外の非表示領域６０１に対応する透明ガラスのすぐ下に、モバイル端末の内部構造を覆うようにインクが提供される。
【００２９】
図３は、本開示の一実施形態によるカメラモジュールの寸法構造図である。説明の便宜上、本開示の諸実施形態に関連する部分だけが示されている。
【００３０】
カメラモジュール２０は、第１のカメラモジュール１００、第２のカメラモジュール２００およびブラケットを含む。第１のカメラモジュール１００および第２のカメラモジュール２００は隣り合わせで配置される。第２のカメラモジュール２００は接地セッティング（ｇｒｏｕｎｄ  ｓｅｔｔｉｎｇ）を実現するためにブラケットに接続される。コネクタ４００が第１のカメラモジュール１００と第２のカメラモジュール２００との間に設けられる。第１のカメラモジュール１００は、ブラケットを介して接地セッティングを実現するためにコネクタ４００を介して第２のカメラモジュール２００に電気的に接続される。
【００３１】
一実施形態では、第１のカメラモジュール１００は、第１のカメラ１０１および第１のカメラ１０１を支持するベース１０２、ならびに第１のＦＰＣ（フレキシブルプリント回路）１０３を含む。第１のＦＰＣ１０３および第１のカメラ１０１は電気的に接続される。第１のカメラ１０１のレンズは、モバイル端末の裏カバーに向かう方向に設けられ、第１のカメラ１０１はモバイル端末の背面で画像を取得するためのものである。しかしながら、ベース１０２はプラスチック材料で製作され得ることを理解すべきである。
【００３２】
一実施形態では、第２のカメラモジュール２００は、第２のカメラ２０１、光ガイド２０２、フレーム２０３および第２のＦＰＣ２０４を含む。フレーム２０３は、第２のカメラ２０１および光ガイド２０２を収容しかつ固定するためのものである。第２のカメラ２０１および光ガイド２０２は隣り合わせで配置され、第２のカメラ２０１および第２のＦＰＣ２０４は電気的に接続される。
【００３３】
しかしながら、フレーム２０３は金属で製作され得ることを理解すべきである。この実施形態では、光ガイド２０２はプリズムによって実現される。
【００３４】
一実施形態では、金属で作られたフレーム２０３はブラケットに接続され、ブラケットは、接地セッティングを実現するためにモバイル端末のケースに当接する。このようにして、操作中に第２のカメラモジュール２００によって生成された静電気はタイミング良く効果的に放電することができる。
【００３５】
光ガイド２０２の光出射面はモバイル端末の背面カバーに向かう方向であり、第２のカメラ２００のカメラレンズは光ガイド２０２の方を向いている。外光は光ガイド２０２を通って第２のカメラまで透過し、したがって第２のカメラはモバイル端末の背面の画像を取得することができる。
【００３６】
この実施形態では、第１のカメラモジュール１００および第２のカメラモジュール２００を組み立てるとき、第２のカメラ２０１の長さが第１のカメラ１０１の長さより大きいことを考慮して、第１のカメラモジュール１００は、モバイル端末の厚さを増大させることなくカメラモジュールの全厚さを減少させるために第２のカメラモジュール２００と隣り合わせで配置され得る。この配置構成の詳細な説明は以下の通りである。
【００３７】
第２のカメラ２０１の光出射面は第１のカメラモジュール１００に向かう方向に配置される、すなわち第２のカメラ２０１の光出射面は光ガイド２０２の方を向いている。光ガイド２０２の光出射面は第１のカメラモジュール１００の光出射面と平行であり、光ガイド２０２は第１のカメラモジュール１００と第２のカメラ２０１との間に配置される。第１のカメラモジュール１００のベース１０２は第２のカメラモジュール２００に当接する。例えば、第１のカメラモジュール１００のベース１０２および第２のカメラモジュール２００のフレーム２０３は、第１のカメラモジュール１００と第２のカメラモジュール２００との間に隙間がありかつ第１のカメラモジュール１００と第２のカメラ２００との間の電気伝導が実現されないように、下部において接着剤によってとじ合わされる。その結果、第１のカメラモジュール１００の操作中に生成された静電気を放電することができない。この実施形態では、コネクタ４００は隙間の位置に設けられる。このようにして、第１のカメラの金属ハウジングは、コネクタ４００を介して第２のカメラモジュール２００の金属フレーム２０３に電気的に接続され、次いで第２のカメラモジュール側でブラケット経由で共通接地を設けられる。したがって、第１のカメラモジュール１００の操作中に生成された静電気は、第２のカメラモジュール側でブラケットを一般に使用することにより放電することができる。
【００３８】
いくつかの実施形態では、コネクタ４００は、ベース上に配置されかつ第１のカメラと第２のカメラモジュールとの間に挿置される。さらに、コネクタ４００は、第１のカメラモジュールと光ガイドとの間に挿置される。
【００３９】
次に、コネクタ４００の構造について詳細に説明する。
【００４０】
図４は、本開示の実施形態によるカメラモジュール２０の断面図である。カメラモジュール２０は、第１のカメラモジュール１００、第２のカメラモジュール２００およびブラケットを含む。コネクタ４００が第１のカメラモジュール１００と第２のカメラモジュール２００との間に設けられる。第１のカメラモジュール１００は、第１のカメラ１０１、ベース１０２、および第１のＦＰＣ（フレキシブルプリント回路）１０３（図示せず）を含む。第２のカメラモジュール２００は、第２のカメラ２０１、光ガイド２０２、フレーム２０３および第２のＦＰＣ２０４（図示せず）を含む。フレーム２０３は、第２のカメラ２０１および光ガイド２０２を収容しかつ固定するためのものである。第２のカメラ２０１および光ガイド２０２は隣り合わせで配置される。
【００４１】
本開示の一実施形態として、コネクタ４００は導電性金属シートである。例えば、薄鋼板などの導電性金属シートは、第１のカメラモジュール１００と第２のカメラモジュール２００との間の隙間に挿置される。薄鋼板は、第１のカメラモジュール１００と第２のカメラモジュール２００との間の電気伝導を実現するために導電接着剤によって第１のカメラモジュール１００および第２のカメラモジュール２００に接合され、次いで第１のカメラモジュール１００および第２のカメラモジュール２００は共通ブラケット経由で接地される。すなわち、薄鋼板の設計は、全体的な接地を実現しながら、カメラモジュールの強度も全体として高める。
【００４２】
好ましい一実施形態では、ベース上にコネクタ４００をしっかりと固定するために、第１の締結具および第２の締結具がそれぞれ、コネクタをしっかりと固着するためにコネクタの下部の両端に設けられる。
【００４３】
次に、いくつかの実施形態による異なる構造を有するコネクタについて、対応する構造構成要素と共に、図５〜図７を参照しながら説明する。明瞭にするために、これらの実施形態において区別される構成要素および特徴について詳細に説明し、カメラモジュール２０の構造の説明は省略する。
【００４４】
図５は、一実施形態におけるコネクタの構造を示す。コネクタ４００は、把持部４０１と把持部から曲げられ延びるキャリヤ部（ｃａｒｒｉｅｒ  ｐｏｒｔｉｏｎ）４０２とを含む。第１のカメラモジュールはキャリヤ部４０２によって熱放散を行うとともに、把持部４０１を介して第２のカメラモジュールに電気的に接続される。例えば、コネクタは「Ｌ字」形状である。例えば、第１のカメラモジュール１００の下部には、全体として「Ｌ字」形状を有する金属製の熱放散シートが設けられる。すなわち、熱放散シートは、第１のカメラモジュール１００の底部から第２のカメラモジュール２００に向かって延び、把持部４０１を得るために上方に曲げられる。したがって、第１のカメラモジュールはキャリア部４０２によって熱放散を行うことができるのに対して、第１のカメラモジュールおよび第２のカメラモジュールは把持部４０１を介して電気的に接続される。このようにして、カメラモジュールの全体的強度および安定性が高められる。
【００４５】
しかしながら、キャリヤ部４０２は、接地されるようにモバイル端末のケースに当接し、それによって第１のカメラモジュールおよび第２のカメラモジュールは共に接地されて、操作中に第１のカメラモジュール１００によって生成された静電気を適時にかつ効果的に放電するようにすることができることを理解すべきである。
【００４６】
図６は、一実施形態におけるコネクタの別の構造を示す。コネクタ４００は第１のカメラモジュールから第２のカメラモジュールに向かう方向に延びる突起４０３を含み、第２のカメラモジュールには突起に対応する溝４０４が設けられ、突起４０３は、第１のカメラモジュール１００と第２のカメラモジュール２００の電気接続部を形成するために溝４０４にはめ込まれる。
【００４７】
コネクタ４００は、第１のカメラモジュールのハウジングと一体に形成されることを理解すべきである。すなわち、突起４０３は第１のカメラモジュールのハウジングと一体に形成される。溝４０４は第２のカメラモジュールのフレーム２０３に配置され、突起４０３は、第１のカメラモジュール１００と第２のカメラモジュール２００の電気接続部を形成するために溝４０４にはめ込まれる。
【００４８】
図７は、一実施形態におけるコネクタの別の構造を示す。コネクタ４００は第２のカメラモジュールから第１のカメラモジュールに向かう方向に延びる突起４０５を含み、第１のカメラモジュールには突起に対応する溝４０６が設けられ、突起は、第１のカメラモジュールと第２のカメラモジュールの電気接続部を形成するために溝にはめ込まれる。
【００４９】
しかしながら、突起４０５は、光ガイドが位置するフレームの側面から第１のカメラモジュールに向かう方向に延びることにより形状を定められる。さらに、突起４０５はフレームと一体に形成される。例えば、突起４０５は第２のカメラモジュールのフレームと一体に形成される。溝４０６は第１のカメラモジュールのハウジングに設けられ、突起４０５は、第１のカメラモジュールと第２のカメラモジュールの電気接続部を形成するために溝４０６にはめ込まれる。
【００５０】
上記の実施形態では、カメラモジュールの動作原理は以下の通りである。
【００５１】
写真を撮るときに、第１のカメラモジュール１００は広角カメラと呼ばれ、広角カメラとして使用される。モバイル端末の後ろのシーンは、第１のカメラモジュール１００のレンズによって生成された光学像がイメージセンサの表面に投影され、次いで電気信号に変換される。アナログデジタル変換後、デジタル画像信号が生成され、デジタル信号処理チップに送られ、第１の画像が得られる。第２のカメラモジュール２００は望遠カメラと呼ばれ、望遠カメラとして使用される。外光は光ガイド２０２を通って第２のカメラまで透過し、したがってモバイル端末の後ろのシーンは、第２のカメラモジュール２００のレンズによって生成された光学像がイメージセンサの表面に投影され、次いで電気信号に変換される。アナログデジタル変換後、デジタル画像信号が生成され、デジタル信号処理チップに送られ、第２の画像が得られる。最後に、第１の画像および第２の画像は、合成最終画像を得るために融合処理を施される。
【００５２】
写真を撮る間、第１のカメラモジュール１００および第２のカメラモジュール２００によって生成された静電気は、第２のカメラモジュール側でブラケット経由で放電することができる。したがって、生成された静電気をタイミング良く効果的に放電することができる。
【００５３】
要約すれと、カメラモジュールおよびモバイル端末が提供される。カメラモジュールは第１のカメラモジュール、第２のカメラモジュールおよびブラケットを含み、第１のカメラモジュールは第２のカメラモジュールと隣り合わせで配置され、第２のカメラモジュールは接地されるようにブラケットに接続され、コネクタが第１のカメラモジュールと第２のカメラモジュールとの間に設けられ、第１のカメラモジュールは、ブラケット経由で接地されるようにコネクタを介して第２のカメラモジュールに電気的に接続される。第１のカメラモジュールと第２のカメラモジュールとの間にコネクタが設けられることにより、第１のカメラモジュールは第２のカメラモジュールに電気的に接続され、第２のカメラモジュールの側でブラケット経由で共通接地セッティングを実現する。したがって、カメラモジュールの全体的強度、安定性、機能的再利用性を高めるとともに、モバイル端末のカメラモジュールの総合効率を向上させながら、プロセスを簡略化し、コストを節減し、生成された静電気をタイミング良く効果的に放電することが可能である。
【００５４】
本開示を１つまたは複数の実施態様に関して例示し説明してきたが、同等の変形形態および修正形態が本明細書および図面の読取りおよび理解に基づいて想起することが、当業者には明らかであろう。本開示は、そのような修正形態および変形形態をすべて含み、添付の特許請求の範囲に記載の範囲によってのみ制限される。特に、上述した構成要素によって実行される様々な機能に関して、これらの機能が本明細書に示されているように本明細書の例示的な実施態様における機能の周知の構造と構造的に同等ではない場合でも、かかる構成要素を説明するために使用される用語は、（特に指示がない限り）その構成要素の特定機能を実行する任意の構成要素に対応するためのものである（例えば、その構成要素は機能的に同等である）。加えて、本明細書の特定の特徴はいくつかの実施態様のうちの１つだけに関して開示されているが、かかる特徴は、所与または特定の応用例に望ましくかつ有利であり得る他の実施態様の１つまたは複数の他の特徴と組み合わされてもよい。また、特定の実施形態または請求項において使用される用語の「含む（ｉｎｃｌｕｄｉｎｇ）」、「有する（ｈａｖｉｎｇ）」、「含んでいる（ｃｏｎｔａｉｎｉｎｇ）」、またはそれらの変形に関して、これらの用語は「備える（ｃｏｍｐｒｉｓｉｎｇ）」という用語と同様の方法で「制限する（ｌｉｍｉｔ）」ためのものである。
【００５５】
上記を考慮すると、本開示は好ましい実施形態として開示されてきたが、上述した好ましい実施形態は本開示を制限するものではない。本開示の主旨および範囲から逸脱することなく、様々な変更および修正が当業者においてなされ得ることが当業者には明らかであろう。本開示の保護範囲は特許請求の範囲によって定義される。
【図１】
2020509628.tif 000003
【図２】
2020509628.tif 000004
【図３】
2020509628.tif 000005
【図４】
2020509628.tif 000006
【図５】
2020509628.tif 000007
【図６】
2020509628.tif 000008
【図７】
2020509628.tif 000009
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
第１のカメラモジュールと、
前記第１のカメラモジュールと隣り合わせで配置された第２のカメラモジュールと、
前記第２のカメラモジュールが接地されることを可能にするために前記第２のカメラモジュールに接続されるブラケットと、
前記第１のカメラモジュールと前記第２のカメラモジュールとの間に設けられたコネクタと、
を備えるカメラモジュールであって、
前記第１のカメラモジュールが、前記ブラケット経由で接地されるように前記コネクタを介して前記第２のカメラモジュールに電気的に接続される、カメラモジュール。
【請求項２】
前記コネクタが導電性金属シートである、請求項１に記載のカメラモジュール。
【請求項３】
前記コネクタが「Ｌ字」形状であり、把持部と前記把持部から曲げられ延びるキャリヤ部とを備え、前記第１のカメラモジュールが、前記キャリヤ部によって熱放散を行うとともに、前記把持部を介して前記第２のカメラモジュールに電気的に接続される、請求項１または２に記載のカメラモジュール。
【請求項４】
前記コネクタが前記第１のカメラモジュールから前記第２のカメラモジュールに向かう方向に延びる突起を備え、前記第２のカメラモジュールには前記突起に対応する溝が設けられ、前記突起が、前記第１のカメラモジュールと前記第２のカメラモジュールの電気接続部を形成するために前記溝にはめ込まれる、請求項１から３のいずれか一項に記載のカメラモジュール。
【請求項５】
前記コネクタが、前記第１のカメラモジュールのハウジングと一体に形成される、請求項１から４のいずれか一項に記載のカメラモジュール。
【請求項６】
前記カメラモジュールが第１のカメラと前記第１のカメラを支持するためのベースとを備え、前記ベースが前記第２のカメラモジュールに当接するように構成され、前記コネクタが前記ベース上に配置されかつ前記第１のカメラと前記第２のカメラモジュールとの間に挿置される、請求項１から５のいずれか一項に記載のカメラモジュール。
【請求項７】
前記第２のカメラモジュールが第２のカメラ、光ガイドおよびフレームを備え、前記フレームが前記第２のカメラおよび前記光ガイドを収容しかつ固定し、前記光ガイドが前記第１のカメラモジュールと前記第２のカメラとの間に配置され、前記コネクタが前記第１のカメラモジュールと前記光ガイドとの間の挿置される、請求項１から６のいずれか一項に記載のカメラモジュール。
【請求項８】
前記コネクタが前記第２のカメラモジュールから前記第１のカメラモジュールに向かう方向に延びる突起を備え、前記第１のカメラモジュールには前記突起に対応する溝が設けられ、前記突起が、前記第１のカメラモジュールと前記第２のカメラモジュールの電気接続部を形成するために前記溝にはめ込まれる、請求項１から７のいずれか一項に記載のカメラモジュール。
【請求項９】
前記突起は、前記光ガイドが位置するフレームの側面から前記第１のカメラモジュールに向かう方向に延びることにより形状を定められ、かつ前記フレームと一体に形成される、請求項８に記載のカメラモジュール。
【請求項１０】
前記第２のカメラには、前記第１のカメラモジュールに向かう方向に前記第２のカメラの光出射面が配置され、前記光ガイドには、前記第１のカメラモジュールの光出射面と平行に前記光ガイドの光出射面が配置される、請求項７に記載のカメラモジュール。
【請求項１１】
前記第２のカメラが前記第１のカメラより大きい長さを有する、請求項７に記載のカメラモジュール。
【請求項１２】
前記カメラモジュールが第１の締結具および第２の締結具をさらに備え、
前記第１の締結具および前記第２の締結具がそれぞれ、前記コネクタをしっかりと固着するために前記コネクタの下部の両端に配置される、請求項１から１１のいずれか一項に記載のカメラモジュール。
【請求項１３】
ケースと前記ケース内に配置されたカメラモジュールとを備えるモバイル端末であって、前記カメラモジュールが請求項１から１２のいずれか一項に記載のカメラモジュールである、モバイル端末。
【請求項１４】
第１のカメラモジュールと、
前記第１のカメラモジュールと隣り合わせで配置された第２のカメラモジュールと、
を備えるカメラモジュールであって、
前記第２のカメラモジュールが第２のカメラ、光ガイドおよびフレームを備え、前記フレームが前記第２のカメラおよび前記光ガイドを収容しかつ固定し、前記光ガイドが前記第１のカメラモジュールと前記第２のカメラモジュールとの間に配置される、カメラモジュール。
【請求項１５】
前記第２のカメラモジュールが第２のカメラを備え、前記第２のカメラが前記第１のカメラより大きい長さを有し、前記第２のカメラには、前記第１のカメラモジュールに向かう方向に前記第２のカメラの光出射面が配置され、前記光ガイドには、前記第１のカメラモジュールの光出射面と平行に前記光ガイドの光出射面が配置される、請求項１４に記載のカメラモジュール。
【国際調査報告】
2020509628.tif 000010
2020509628.tif 000011
2020509628.tif 000012